(57)【特許請求の範囲】
【請求項１】
送風機を内部に有する本体部と、
浴室側に配置され、前記送風機の動作によって前記浴室から前記本体部に吸い込まれる空気が通過する吸込口を有するパネル部と、
前記パネル部に取り付けられて前記吸込口を覆うフィルターと、を備え、
前記パネル部は、
前記吸込口を含む平面に沿った方向で互いに対向する第１挿入口および第２挿入口のうち一方の挿入口から挿入された前記フィルターを収納する収納部と、
前記収納部に収納された前記フィルターのうち前記収納部への挿入方向における一端部および他端部に係合する一対の係合部と、を備え、
前記フィルターは、
前記一端部および前記他端部から各々突出し且つ前記第１挿入口および前記第２挿入口のうち他方の挿入口から前記フィルターの抜去時に少なくとも一方が把持される一対の把手部を備える
ことを特徴とする浴室乾燥機。
【請求項２】
前記係合部は、
前記収納部に対する前記フィルターの抜去方向から見た場合に前記把手部と重なる位置に形成される
ことを特徴とする請求項１に記載の浴室乾燥機。
【請求項３】
前記フィルターは、
前記空気が通過するネット部と、
前記ネット部を固定する枠部と、を備え、
前記係合部は、
前記収納部に対する前記フィルターの挿抜過程において前記枠部と継続して対向する位置に設けられる
ことを特徴とする請求項１または２に記載の浴室乾燥機。
【請求項４】
前記係合部は、
凸状に形成される
ことを特徴とする請求項１から３のいずれか一つに記載の浴室乾燥機。
【請求項５】
前記係合部は、
前記フィルターが前記一方の挿入口または前記他方の挿入口から挿入される際に前記フィルターの端部が当接する側面がテーパ状に形成される
ことを特徴とする請求項１から４のいずれか一つに記載の浴室乾燥機。
【請求項６】
前記パネル部は、
前記本体部に連結され、前記吸込口が形成されるパネルベースと、
前記パネルベースと対向し、前記パネルベースに連結されるフラットパネルと、を有し、
前記第１挿入口および前記第２挿入口は、前記パネルベースと前記フラットパネルとの間に形成される
ことを特徴とする請求項１から５のいずれか一つに記載の浴室乾燥機。
【発明の詳細な説明】
【技術分野】
【０００１】
本発明は、吸込口にフィルターが挿抜可能に取り付けられる浴室乾燥機に関する。
【背景技術】
【０００２】
浴室乾燥機は、浴室の天井、壁、または窓の開口部に挿入して取り付けられ、換気、暖房、および乾燥などの空調を行う。かかる浴室乾燥機は、浴室内から空気を取り込むための吸込口が設けられている。【０００３】
浴室乾燥機の吸込口には、塵埃を取り除くためのフィルターが着脱可能に取り付けられる。フィルターに大量の塵埃が付着すると、吸込口への吸い込み風量および循環口からの吹き出し風量が減少し、空調性能が低下する。そのため、フィルターは定期的に掃除され、かかる掃除の際には浴室乾燥機に対するフィルターの挿抜が行われる。【０００４】
浴室乾燥機にはフィルターを挿入するための挿入口が設けられるが、浴室乾燥機の取り付け場所によっては、フィルターの挿抜が難しい場合がある。そこで、特許文献１には、フィルターを挿入するための複数の挿入口が設けられる空調装置が開示されている。
【先行技術文献】
【特許文献】
【０００５】
【特許文献１】特開２００４−１５０７１７号公報
【発明の概要】
【発明が解決しようとする課題】
【０００６】
しかしながら、特許文献１に記載の空調装置は、フィルターを挿入した挿入口からフィルターを抜去する構成であるため、施工後において壁または設備などが障害となってフィルターの抜去が難しくなることがある。【０００７】
本発明は、上記に鑑みてなされたものであって、フィルターを挿入した挿入口からフィルターを抜去することが難しい場合でもフィルターの抜去を行うことができる浴室乾燥機を得ることを目的とする。
【課題を解決するための手段】
【０００８】
上述した課題を解決し、目的を達成するために、本発明に係る浴室乾燥機は、送風機を内部に有する本体部と、浴室側に配置され、送風機の動作によって浴室から本体部に吸い込まれる空気が通過する吸込口を有するパネル部と、パネル部に取り付けられて吸込口を覆うフィルターと、を備える。パネル部は、吸込口を含む平面に沿った方向で互いに対向する第１挿入口および第２挿入口のうち一方の挿入口から挿入されたフィルターを収納する収納部と、収納部に収納されたフィルターのうち収納部への挿入方向における一端部および他端部に係合する一対の係合部と、を備える。フィルターは、一端部および他端部から各々突出し且つ第１挿入口および第２挿入口のうち他方の挿入口からのフィルターの抜去時に少なくとも一方が把持される一対の把手部を備える。
【発明の効果】
【０００９】
本発明に係る浴室乾燥機は、フィルターを挿入した挿入口からフィルターを抜去することが難しい場合でもフィルターの抜去を行うことができる、という効果を奏する。
【図面の簡単な説明】
【００１０】
【図１】本発明の実施の形態１にかかる浴室乾燥機の外観斜視図
【図２】実施の形態１にかかる浴室乾燥機の側面図
【図３】実施の形態１にかかるパネル部の外観斜視図
【図４】実施の形態１にかかる係合部の一例を示す図
【図５】実施の形態１にかかるフィルターの外観斜視図
【図６】実施の形態１にかかるフィルターが一方の吸込口から収納部へ挿入される様子を示す図
【図７】実施の形態１にかかる収納部にフィルターが収納された状態を示す図
【図８】実施の形態１にかかる収納部に収納されたフィルターが他方の吸込口から抜去される様子を示す図
【図９】実施の形態１にかかる収納部に収納されたフィルターが他方の吸込口から抜去される様子を示す図
【発明を実施するための形態】
【００１１】
以下に、本発明の実施の形態にかかる浴室乾燥機を図面に基づいて詳細に説明する。なお、この実施の形態によりこの発明が限定されるものではない。
【００１２】
実施の形態１．
図１は、本発明の実施の形態１にかかる浴室乾燥機の外観斜視図であり、図２は、実施の形態１にかかる浴室乾燥機の側面図である。図１および図２には、説明を分かりやすくするために、鉛直上向きを正方向とするＺ軸を含む３次元の直交座標系を図示している。かかる直交座標系は、以下の説明で用いる他の図面においても示す場合がある。
【００１３】
図１および図２に示す浴室乾燥機１００は、浴室の天井に設置され、天井裏と屋外とを繋いで配設されるダクトに接続される。図１および図２では、天井とダクトとの図示を省略している。なお、浴室乾燥機１００は、浴室の壁または窓に設置されてもよい。
【００１４】
図１に示すように、実施の形態１にかかる浴室乾燥機１００は、風路を形成する箱状の本体部１と、本体部１に連結され、浴室側に配置されるパネル部２と、パネル部２に取り付けられるフィルター３とを備える。本体部１は、浴室内から天井に設けられた開口を通して天井裏へ挿入され、天井裏に配置される。
【００１５】
図２に示すように、本体部１の内部には、送風機の一例であるシロッコファン１１、ダンパー１２、ヒータ１３、およびファンモータ１４などが配置される。また、本体部１の側面には、浴室内から取り込まれた空気が浴室の外へ排出される排気空気として通過する排気口１５が設けられている。かかる排気口１５は、天井裏と屋外とを繋いで配設されるダクトに接続される。
【００１６】
パネル部２は、浴室天井面から露出した状態で配置される。図３は、実施の形態１にかかるパネル部の外観斜視図である。図３に示すように、パネル部２は、本体部１に連結されたパネルベース２０と、パネルベース２０に連結されるフラットパネル３０とを備える。フラットパネル３０は、パネルベース２０の下側を覆う。かかるフラットパネル３０のうち下方へ向けられる面は、意匠面である。
【００１７】
図２に示すように、パネルベース２０には、シロッコファン１１と対向する領域が開口しており、かかる開口が吸込口２１として形成される。吸込口２１は、シロッコファン１１の動作によって浴室から本体部１に吸い込まれる空気が通過する。
【００１８】
また、パネルベース２０には、ヒータ１３と対向する領域が開口しており、かかる開口が循環口２２として形成される。かかる循環口２２からヒータ１３によって暖められた空気が循環空気として浴室内に吹き出されて、浴室内に供給される。なお、フラットパネル３０には、循環空気を浴室へ吹き出すための風向ルーバなどが取り付けられるが、図３では風向ルーバなどは図示していない。
【００１９】
また、パネルベース２０とフラットパネル３０との間には、浴室から吸込口２１へ吸い込まれる空気が通過する吸込口４０，４１が形成される。かかる吸込口４０，４１は、パネル部２の側方に形成されており、吸込口２１を含む平面に沿った方向において互いに対向する位置に形成される。浴室乾燥機１００を浴室の天井に配置した場合、水平方向から空気が吸込口４０，４１に吸い込まれる。この場合、吸込口２１を含む平面に沿った方向は、ＸＹ平面に沿った方向、すなわち水平方向である。
【００２０】
また、パネル部２において、パネルベース２０とフラットパネル３０との間には、フィルター３を収納する収納部２３が形成される。かかる収納部２３にフィルター３が収納されることで、パネルベース２０に形成された吸込口２１がフィルター３に覆われる。
【００２１】
上述した吸込口４０，４１はフィルター３の挿入口としての機能も有しており、フィルター３を吸込口４０，４１のいずれからも収納部２３へ挿入することができる。また、収納部２３に収納されたフィルター３を吸込口４０，４１のいずれからも抜去することができる。
【００２２】
このように、吸込口４０，４１をフィルター３の挿入口として、フィルター３が挿抜可能である。そのため、浴室乾燥機１００では、フィルター３の取り扱いが容易であり清掃性に優れている。吸込口４０は、第１挿入口の一例であり、吸込口４１は第２挿入口の一例である。なお、吸込口４０，４１は、挿入口としての機能と抜去口としての機能を有しており、挿入口は抜去口を兼ねているため、挿抜口とも呼ぶことができる。
【００２３】
また、フラットパネル３０は、収納部２３に収納されたフィルター３と係合する一対の係合部２４を備える。かかる一対の係合部２４は、収納部２３に対するフィルター３の挿抜方向におけるフィルター３の一端部および他端部と係合する。なお、フィルター３の挿抜方向は、Ｘ軸方向である。また、図３に示すパネルベース２０では、一対の係合部２４のうち一方の係合部２４のみが図示されており、他方の係合部２４は、フラットパネル３０で隠れて見えない位置にある。
【００２４】
図４は、実施の形態１にかかる係合部の一例を示す図である。図４に示すように、係合部２４は、パネルベース２０の表面２０ａから凸状に形成されている。換言すれば、パネルベース２０の表面２０ａには係合部２４によって段差が形成される。かかる係合部２４は、収納部２３にフィルター３が収納された状態においてフィルター３の枠部３２と対向する側面２４ａと、フィルター３が吸込口４０，４１を介して挿入される際にフィルター３の先端が当接する側面２４ｂとを有する。側面２４ｂは、テーパ状に形成されており、係合部２４の先端に向かうほど側面２４ａとの距離が近くなる。
【００２５】
浴室乾燥機１００の運転モードには、浴室内の空気を外へ排気する換気運転モード、浴室内の空気をヒータ１３で暖めて浴室内へ戻す暖房運転モード、および浴室内の空気の一部を換気し一部を暖めて浴室内へ戻す乾燥運転モードなどがある。
【００２６】
図２に示すシロッコファン１１は、ファンモータ１４の駆動によって回転し、かかるシロッコファン１１の回転によって、浴室内の空気が吸込口４０，４１および吸込口２１を介して本体部１に吸い込まれる。シロッコファン１１によって本体部１に吸い込まれた空気は、ダンパー１２へ送られる。ダンパー１２は、不図示のダンパー用モータで駆動される。ダンパー用モータの駆動によってダンパー１２の位置が変わる。かかるダンパー１２の位置が変わると、排気口１５と循環口２２へ送る空気の割合が変わる。
【００２７】
ダンパー１２の位置は、換気運転モード、暖房運転モード、および乾燥運転モードの各運転モードに応じて変更され、各運転モードに合ったダンパー１２の位置で、ファンモータ１４からの空気が排気口１５側と循環口２２側とへ導かれる。排気口１５側へ送られた空気は、排気口１５を通過しダクトを通じて室外へ送られる。循環口２２側へ送られた空気は、ヒータ１３を通過して暖められ、浴室内へと戻される。
【００２８】
図５は、実施の形態１にかかるフィルターの外観斜視図である。図５に示すように、フィルター３は、平板状に形成される。かかるフィルター３は、浴室内の空気中に含まれる塵埃を収集するネット部３１と、ネット部３１を固定する枠部３２とを備える。枠部３２は、方形状の外枠３３と、外枠３３内に形成される十字状の格子３４とにより形成される。枠部３２の格子３４によってネット部３１が複数の領域に仕切られる。フィルター３は、例えば、一体成形で形成される。フィルター３を一体成形で形成することで、フィルター３の製造を容易に行うことができる。
【００２９】
また、フィルター３の長手方向における一端部３３ａと他端部３３ｂには、枠部３２から突出する一対の把手部３５が形成される。かかる一対の把手部３５によって、パネルベース２０に取り付けられたフィルター３を吸込口４０，４１のいずれからも容易に取り出すことができる。把手部３５の基端は、枠部３２の端部に連続し、把手部３５の先端は、フィルター３を収納部２３に収納した状態において、Ｚ軸負方向である下方に延伸する形状を有する。把手部３５の中途部は、フィルター３の長手方向において枠部３２からは離れる方向に延伸し且つ先端に向かって傾斜している。
【００３０】
また、枠部３２の短手方向における一端部３３ｃと他端部３３ｄとには、フィルター３を収納部２３に収納した状態においてＺ軸負方向である下方に延伸する複数の第１凸部３６が形成される。また、格子３４の短手方向における中央部には、フィルター３を収納部２３に収納した状態においてＺ軸負方向である下方に延伸する第２凸部３７が形成される。なお、図３に示す例では、収納部２３に対するフィルター３の挿抜方向は、フィルター３の長手方向であり、フィルター３の挿抜方向と直交する方向は、フィルター３の短手方向であるが、フィルター３の構成は図５に示す例に限定されない。
【００３１】
ここで、収納部２３に対するフィルター３の挿抜について具体的に説明する。図６は、実施の形態１にかかるフィルターが一方の吸込口から収納部へ挿入される様子を示す図である。図７は、実施の形態１にかかる収納部にフィルターが収納された状態を示す図である。図８および図９は、実施の形態１にかかる収納部に収納されたフィルターが他方の吸込口から抜去される様子を示す図である。なお、図６〜図９は、図１に示すVI-VI線に沿った断面を示している。
【００３２】
まず、一方の吸込口４０から収納部２３へフィルター３を挿入する動作について説明する。図６に示すように、フィルター３を一端部３３ａ側から吸込口４０へ挿入すると、フィルター３の一端部３３ａが係合部２４の側面２４ｂに当接する。係合部２４の側面２４ｂにはフィルター３の挿入方向にテーパを有しており、かかるテーパによってフィルター３の一端部３３ａが係合部２４に係止されることなく吸込口４０へ案内される。
【００３３】
フラットパネル３０には、フィルター３を収納部２３の収納位置に案内するためのレール５１がフィルター３の短手方向の一端部３３ｃと他端部３３ｄとに対向する位置に各々形成されている。フィルター３が吸込口４０に挿入されて通過する際にフィルター３の第１凸部３６はレール５１に当接し、レール５１上を摺動する。これにより、フィルター３が収納部２３の収納位置に案内される。なお、収納部２３の収納位置とは、フィルター３が吸込口２１全体を覆うことができ状態にてフィルター３が配置される位置である。
【００３４】
なお、図示していないが、フラットパネル３０には、フィルター３の第２凸部３７が当接し上面を摺動する不図示のレールが形成されており、これにより、フィルター３を収納部２３の収納位置にさらに精度よく案内することができる。
【００３５】
また、図６に示す例では、パネルベース２０の表面２０ａにフィルター３を接触させながら吸込口４０へフィルター３を挿入しているが、フィルター３は、パネルベース２０の表面２０ａに接触させることなく吸込口４０に挿入することもできる。この場合も、フィルター３の第１凸部３６はレール５１に当接し、レール５１上を摺動する。これによって、フィルター３が収納部２３の収納位置に案内される。
【００３６】
図７に示すように、吸込口４０から挿入されたフィルター３が収納部２３の収納位置に達すると、フィルター３の一端部３３ａが係合部２４の側面２４ａに突き当たるため、フィルター３の挿入方向への進行が停止する。そのため、フィルター３が収納部２３の収納位置で停止し、フィルター３が収納部２３の収納位置を通り過ぎることが防止される。
【００３７】
また、フィルター３の一端部３３ａが一方の係合部２４の側面２４ａに突き当たると、フィルター３の他端部３３ｂが他方の係合部２４の側面２４ａと対向する位置になる。これにより、フィルター３の一端部３３ａと他端部３３ｂとが一方の係合部２４の側面２４ａと他方の係合部２４の側面２４ａとによって挟持され、フィルター３が収納部２３の収納位置で保持される。一対の係合部２４は、フィルター３の一端部３３ａと他端部３３ｂとに各々当接する構成であるが、一端部３３ａおよび他端部３３ｂの少なくとも一方と隙間を持って対向する構成であってもよい。
【００３８】
なお、フィルター３が収納部２３の収納位置にある場合、フィルター３の第１凸部３６はフラットパネル３０のレール５１に当接している。そのため、収納部２３の収納位置でフィルター３を精度よく保持することができる。
【００３９】
次に、一方の吸込口４０から収納部２３へ収納したフィルター３を他方の吸込口４１から取り出す動作について説明する。作業者は、フィルター３が係合部２４の収容位置に配置されている図７に示す状態から他方の吸込口４１からフィルター３を取り出そうとする場合、フィルター３の一端部３３ａから突出する把手部３５を持ち、把手部３５に力を加える。
【００４０】
このとき、パネルベース２０の下方に作業者が存在しているため、把手部３５には、浴室乾燥機１００における意匠面と垂直な方向にも力が加わり易い。そのため、図８に示す矢印の方向に力が加わり易い。また、把手部３５は、枠部３２のうちレール５１で上下方向の移動が規制される一端部３３ｃおよび他端部３３ｄの中央から突出して形成されており、フィルター３のうち撓みやすい位置にある。その結果、図８に示すように、フィルター３の一端部３３ａは凸状の係合部２４を乗り越え、フィルター３の一端部３３ａと係合部２４との係合が解除され易い。なお、凸状の係合部２４の高さを、例えば、０．５〜１０ｍｍとすることで、フィルター３を収納部２３から取り出し易くすることができる。
【００４１】
また、収納部２３にフィルター３が収納されている状態において、係合部２４は把手部３５の周囲に位置している。そのため、把手部３５に加えられる力が、係合部２４をフィルター３の枠部３２が乗り越える力として伝わり易い。これにより、フィルター３の抜去を容易に行うことができる。なお、係合部２４は、収納部２３に対するフィルター３の挿抜方向において、図７に示すように、フィルター３の一端部３３ａと把手部３５とに挟まれた位置にあり、また、係合部２４の長さは、図９に示すように、フィルター３の短手方向であるＸ軸方向において把手部３５の長さよりも短い。そのため、フィルター３の抜去をより容易に行うことができる。
【００４２】
また、係合部２４は、収納部２３に対するフィルター３の挿抜時において、枠部３２に接触する位置に配置される。図９に示す例では、係合部２４は、フィルター３を収納部２３に対して挿抜する際に、フィルター３における短手方向の中央部に対向する位置になるようにパネルベース２０に配置される。これにより、係合部２４は、収納部２３に対するフィルター３の挿抜過程において枠部３２と継続して対向する位置になる。すなわち、係合部２４は、フィルター３が収納部２３に対して挿抜される際に、枠部３２における外枠３３の一端部３３ａ、格子３４、および外枠３３の他端部３３ｂと上下方向において対向する位置を通過する。そのため、フィルター３が収納部２３に対して挿抜される際に、ネット部３１に引っ掛からない。
【００４３】
また、係合部２４は、フィルター３が吸込口４０，４１のいずれかから挿入される際にフィルター３と当接する側面２４ｂがテーパ状に形成される。そのため、フィルター３は、図６の矢印方向から収納部２３に挿入される際に、係合部２４に引っ掛かって係止されることなく、係合部２４を乗り越えて収納部２３に挿入される。
【００４４】
なお、図６〜図９を用いた上述の説明では、一方の吸込口４０から挿入したフィルター３を他方の吸込口４１から抜去する例を説明したが、他方の吸込口４１から挿入したフィルター３を一方の吸込口４０から抜去することもできる。また、一方の吸込口４０から挿入したフィルター３を一方の吸込口４０から抜去することも、他方の吸込口４１から挿入したフィルター３を他方の吸込口４１から抜去することもできる。このように、浴室乾燥機１００は、２つの吸込口４０，４１のいずれからもフィルター３を挿入でき、また、２つの吸込口４０，４１のいずれからもフィルター３を抜去することができる。
【００４５】
また、上述した例では、係合部２４を凸状に形成した例を説明したが、係合部２４は、凹状に形成されてもよい。この場合、例えば、外枠３３の一端部３３ａと他端部３３ｂには、フィルター３が収納部２３に収納された状態で各々一対の係合部２４のうち対応する係合部２４と係合する凸部が設けられる。
【００４６】
また、上述した例では、浴室乾燥機１００は、換気運転モード、暖房運転モード、および乾燥運転モードを運転モードとして有しているが、換気運転モードおよび暖房運転モードを設けない構成であってもよい。
【００４７】
以上のように、実施の形態１にかかる浴室乾燥機１００は、本体部１と、パネル部２と、フィルター３とを備える。本体部１は、送風機の一例であるシロッコファン１１を内部に有する。パネル部２は、浴室側に配置され、シロッコファン１１の動作によって浴室から本体部１に吸い込まれる空気が通過する吸込口２１を有する。フィルター３は、パネル部２に取り付けられて吸込口２１を覆う。パネル部２は、収納部２３と、一対の係合部２４とを備える。収納部２３は、吸込口２１を含む平面に沿った方向で互いに対向する吸込口４０，４１のうち一方の吸込口から挿入されたフィルター３を収納する。吸込口４０は第１挿入口の一例であり、吸込口４１は、第２挿入口の一例である。一対の係合部２４は、収納部２３に収納されたフィルター３のうち収納部２３への挿入方向における一端部３３ａおよび他端部３３ｂに係合する。フィルター３は、一端部３３ａおよび他端部３３ｂから各々突出し且つ吸込口４０，４１のうち他方の吸込口からのフィルター３の抜去時に少なくとも一方が把持される一対の把手部３５を備える。これにより、フィルター３を挿入した挿入口から抜去が難しい場合でもフィルター３の抜去を行うことができる。
【００４８】
また、係合部２４は、収納部２３に対するフィルター３の抜去方向から見た場合に、把手部３５と重なる位置に形成される。これにより、フィルター３を収納部２３から容易に抜去することができる。
【００４９】
また、フィルター３は、空気が通過するネット部３１と、ネット部３１を固定する枠部３２とを備える。係合部２４は、収納部２３に対するフィルター３の挿抜過程において枠部３２と継続して対向する位置に設けられる。これにより、係合部２４がネット部３１に引っ掛かることなく、フィルター３を収納部２３に対して挿抜することができる。
【００５０】
また、係合部２４の各々は、凸状に形成され、例えば、高さが０．５〜１０ｍｍの範囲内である。これにより、フィルター３を収納部２３から取り出し易くすることができる。
【００５１】
また、係合部２４は、フィルター３が吸込口４０，４１のいずれかから挿入される際にフィルター３の一端部３３ａまたは他端部３３ｂが当接する側面２４ｂがテーパ状に形成される。これにより、収納部２３へのフィルター３の挿入を容易に行うことができる。
【００５２】
また、パネル部２は、本体部１に連結され、吸込口２１が形成されるパネルベース２０と、パネルベース２０と対向し、パネルベース２０に連結されるフラットパネル３０とを有する。そして、吸込口４０，４１は、パネルベース２０とフラットパネル３０との間に形成される。これにより、フィルター３を浴室乾燥機１００の側方から挿抜することができる。
【００５３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５４】
１  本体部、２  パネル部、３  フィルター、１１  シロッコファン、１２  ダンパー、１３  ヒータ、１４  ファンモータ、１５  排気口、２０  パネルベース、２０ａ  表面、２１，４０，４１  吸込口、２２  循環口、２３  収納部、２４  係合部、２４ａ，２４ｂ  側面、３０  フラットパネル、３１  ネット部、３２  枠部、３３  外枠、３３ａ，３３ｃ  一端部、３３ｂ，３３ｄ  他端部、３４  格子、３５  把手部、３６  第１凸部、３７  第２凸部、５１  レール、１００  浴室乾燥機。
【図１】
0006918251.tif 000002
【図２】
0006918251.tif 000003
【図３】
0006918251.tif 000004
【図４】
0006918251.tif 000005
【図５】
0006918251.tif 000006
【図６】
0006918251.tif 000007
【図７】
0006918251.tif 000008
【図８】
0006918251.tif 000009
【図９】
0006918251.tif 000010